(57)【要約】【課題】  ＩＰ網に接続される一つのＩＰ回線における同時通話数の上限を設けることにより、同時通話の際に充分な通話品質を確保することができる電話システムを提供することを目的とする。【解決手段】  ゲートウェイ装置ＧＷ１とＩＰ網／公衆網１００とを接続するＩＰ回線を使用する同時通話数を制限するために、ＩＰ網／公衆網１００に接続するＳＩＰサーバＳＳは、そのＩＰ回線に接続するゲートウェイ装置ＧＷ毎に、そのゲートウェイ装置ＧＷが収容するＩＰ回線Ｌを使用して通話中の通信端末装置ＥＰの情報、そのＩＰ回線Ｌを使用できる同時通話数の上限、および現在の同時通話数を記憶する管理サーバＳＳを備える。【選択図】  図１
2009182886.tif 000002
【特許請求の範囲】
【請求項１】
複数の通信端末と、前記通信端末への着呼に際し供される管理用のテーブルを有するサーバ装置と、前記通信端末が接続され網のＩＰ回線からの着呼を前記通信端末に転送するゲートウェイ装置とを備える電話システムであって、
前記サーバ装置は、
前記ＩＰ回線に係る同時通話数の上限を記憶する記憶手段と、
発信側からの呼接続要求を受信した場合、前記記憶手段にて記憶された同時通話数の上限に基づき現在の同時通話数との関係で着呼を許可するか否かを判断する判断手段とを有し、
前記判断手段にて着呼を許可すると判断した場合に、前記着呼に係る呼接続要求を前記ＩＰ回線を介して前記ゲートウェイ装置に送信することを特徴とする電話システム。
【請求項２】
複数の通信端末と、前記通信端末からの発呼に際し供される管理用のテーブルを有するサーバ装置と、前記通信端末が接続され網のＩＰ回線への発呼を前記通信端末から転送するゲートウェイ装置とを備える電話システムであって、
前記サーバ装置は、
前記ＩＰ回線に係る同時通話数の上限を記憶する記憶手段と、
前記通信端末からの呼接続要求を受信した場合、前記記憶手段にて記憶された同時通話数の上限に基づき現在の同時通話数との関係で発呼を許可するか否かを判断する判断手段とを有し、
前記判断手段にて発呼を許可すると判断した場合に、前記発呼に係る呼接続要求を発信先に送信することを特徴とする電話システム。
【請求項３】
複数の通信端末への着呼をＩＰ回線を介して前記複数の通信端末が接続されたゲートウェイ装置に送信する網に接続でき、前記通信端末への着呼に際し供される管理用のテーブルを有するサーバ装置において、
前記通信端末に係る同時通話数の上限を記憶する記憶手段と、
発信側からの呼接続要求を受信した場合、前記記憶手段にて記憶された同時通話数の上限に基づき現在の同時通話数との関係で着呼を許可するか否かを判断する判断手段とを有し、
前記判断手段にて着呼を許可すると判断した場合に、前記着呼に係る呼接続要求を前記ゲートウェイ装置に送信することを特徴とするサーバ装置。
【請求項４】
複数の通信端末からゲートウェイ装置を経由した発呼をＩＰ回線を介して受ける網に接続でき、前記通信端末からの発呼に際し供される管理用のテーブルを有するサーバ装置において、
前記通信端末に係る同時通話数の上限を記憶する記憶手段と、
発信側からの呼接続要求を受信した場合、前記記憶手段にて記憶された同時通話数の上限に基づき現在の同時通話数との関係で発呼を許可するか否かを判断する判断手段とを有し、
前記判断手段にて発呼を許可すると判断した場合に、前記発呼に係る呼接続要求を前記網を介して発信先に送信することを特徴とするサーバ装置。
【発明の詳細な説明】
【技術分野】
【０００１】
本発明は、ＩＰ回線を使用して複数の通信端末による同時通話が可能な電話システムに関する。
【背景技術】
【０００２】
家庭内で使用する固定電話での通話は、従来回線交換方式で実現している。そのため、１つの電話番号を持つ回線では、同時に通話できる同時通話数は１というように限られていた。一方、ＩＰ回線は、パケット交換方式で通話を実現しているため、回線を占有することなくデータや音声の伝送を行うことができ、データ通信と通話や同時通話などを行うことができる。
【０００３】
また、このようなＩＰ回線を使用して通話を行う電話システムでは、一つのＩＰ回線に複数の電話番号を設けることもできる。このような場合、柔軟な着信制御を行うために、ＩＰ回線に設けられた電話番号毎の同時通話数を制限するという技術が知られている（特許文献１）。この特許文献には、電話番号毎の同時通話数を制限することによって通話中の通話品質の劣化を防止する方法については記載されていない。
【特許文献１】特開２００６−１９７２９６号公報
【発明の開示】
【発明が解決しようとする課題】
【０００４】
しかしながら、上記の従来技術では、ＩＰ回線を使用して同時に多数の通話を行うと、以下の理由により通話中に充分な通話品質を得ることが困難となる。
【０００５】
ＩＰ回線を使用しての通話中は、通常一定時間間隔でパケットの送受信を行っている。そのため、同時に多数の通話を行うとパケットを送受信する時間間隔が長くなるまたは不規則になるため音声の途切れやノイズが発生し、通話中の充分な通話品質を得ることができない。
【０００６】
本発明は、上記問題点を解決するためになされたもので、ＩＰ網に接続される一つのＩＰ回線における同時通話数に上限を設けることにより、同時通話の際に充分な通話品質を確保することができる電話システムを提供することを目的とする。
【課題を解決するための手段】
【０００７】
本発明による電話システムは、複数の通信端末と、前記通信端末への着呼に際し供される管理用のテーブルを有するサーバ装置と、前記通信端末が接続され網のＩＰ回線からの着呼を前記通信端末に転送するゲートウェイ装置とを備える電話システムであって、前記サーバ装置は、前記ＩＰ回線に係る同時通話数の上限を記憶する記憶手段と、発信側からの呼接続要求を受信した場合、前記記憶手段にて記憶された同時通話数の上限に基づき現在の同時通話数との関係で着呼を許可するか否かを判断する判断手段とを有し、前記判断手段にて着呼を許可すると判断した場合に、前記着呼に係る呼接続要求を前記ＩＰ回線を介して前記ゲートウェイ装置に送信することを特徴としている。
【０００８】
また、本発明による電話システムは、複数の通信端末と、前記通信端末からの発呼に際し供される管理用のテーブルを有するサーバ装置と、前記通信端末が接続され網のＩＰ回線への発呼を前記通信端末から転送するゲートウェイ装置とを備える電話システムであって、前記サーバ装置は、前記ＩＰ回線に係る同時通話数の上限を記憶する記憶手段と、前記通信端末からの呼接続要求を受信した場合、前記記憶手段にて記憶された同時通話数の上限に基づき現在の同時通話数との関係で発呼を許可するか否かを判断する判断手段とを有し、前記判断手段にて発呼を許可すると判断した場合に、前記発呼に係る呼接続要求を発信先に送信することを特徴としている。
【０００９】
また、本発明によるサーバ装置は、複数の通信端末への着呼をＩＰ回線を介して前記複数の通信端末が接続されたゲートウェイ装置に送信する網に接続でき、前記通信端末への着呼に際し供される管理用のテーブルを有するサーバ装置において、前記通信端末に係る同時通話数の上限を記憶する記憶手段と、発信側からの呼接続要求を受信した場合、前記記憶手段にて記憶された同時通話数の上限に基づき現在の同時通話数との関係で着呼を許可するか否かを判断する判断手段とを有し、前記判断手段にて着呼を許可すると判断した場合に、前記着呼に係る呼接続要求を前記ゲートウェイ装置に送信することを特徴としている。
【００１０】
また、本発明によるサーバ装置は、複数の通信端末からゲートウェイ装置を経由した発呼をＩＰ回線を介して受ける網に接続でき、前記通信端末からの発呼に際し供される管理用のテーブルを有するサーバ装置において、前記通信端末に係る同時通話数の上限を記憶する記憶手段と、発信側からの呼接続要求を受信した場合、前記記憶手段にて記憶された同時通話数の上限に基づき現在の同時通話数との関係で発呼を許可するか否かを判断する判断手段とを有し、前記判断手段にて発呼を許可すると判断した場合に、前記発呼に係る呼接続要求を前記網を介して発信先に送信することを特徴としている。
【発明の効果】
【００１１】
本発明によれば、同時通話の際に充分な通話品質を確保することができる電話システムを提供することができる。
【発明を実施するための最良の形態】
【００１２】
以下、本発明の実施例を図面を参照して説明する。
【実施例１】
【００１３】
図１は、この発明に関わる電話システムの一実施の形態を示す図である。  
この電話システムは、ＩＰ網／公衆網１００（網）、ＳＩＰサーバＳＳ、ゲートウェイ装置ＧＷ１、ＧＷ２、ＧＷ３、複数の通信端末装置ＥＰ１１、ＥＰ１２、ＥＰ１３、ＥＰ２０、ＥＰ３０、…、ＥＰｎ、無線アクセスポイントＷＡＰ、ＩＰ網／公衆網１００とゲートウェイ装置を接続するＩＰ回線Ｌ１を備えて構成される。
【００１４】
ＩＰ網／公衆網１００には、網と網とを中継するゲートウェイ装置ＧＷ１、ＧＷ２、ＧＷ３と、ＶｏＩＰ（Voice over IP）を制御するＳＩＰ（Session Initiation Protocol）サーバＳＳとが接続される。
【００１５】
ゲートウェイ装置ＧＷ１、ＧＷ２、ＧＷ３には、それぞれ通信端末装置ＥＰが接続される。このゲートウェイ装置は、通信端末装置のみならず無線アクセスポイントＷＡＰも接続することができ、図１ではゲートウェイ装置ＧＷ１に接続された無線アクセスポイントＷＡＰと通信端末装置ＥＰ１１が無線で通信することもできるようになっている。
【００１６】
これらの通信端末装置は、データ通信を行うコンピュータＥＰ１２、音声通話を行う電話装置ＥＰ１２、ＥＰ２０、ＥＰ３０、ＥＰｎ、電話装置の子機ＥＰ１１などが含まれる。
【００１７】
図２は、ゲートウェイ装置ＧＷの構成を示した図である。  
ゲートウェイ装置ＧＷは、ＷＡＮ側であるＩＰ網／公衆網１００およびＬＡＮ側である各通信端末装置ＥＰへ接続する通信インターフェース部２０、受信したデータをバッファリングしたりＩＰアドレスを記憶したりする記憶部２２、およびこれらを制御する制御部２１を備えているものである。このゲートウェイ装置ＧＷは、ＬＡＮ側からＷＡＮ側へまたはＷＡＮ側からＬＡＮ側へルーティングを行うものである。
【００１８】
図３は、ＳＩＰサーバＳＳの構成を示した図である。  
ＳＩＰサーバＳＳは、ＩＰ網／公衆網１００へ接続する通信インターフェース部３０、ＩＰ回線における通話中の同時通話数を管理する通話数管理部３３、通話数管理部３３が管理するＩＰ回線Ｌ１を使用して通話中の同時通話数を記憶する管理テーブル３２ａ、この管理テーブル３２ａを記憶する記憶部３２、およびこの管理テーブル３２ａを参照してＩＰ回線Ｌ１を制御する回線制御部３１を備える。また、図示していないが記憶部３２には、発信元情報と発信先情報を対応付けて記憶するＳＩＰテーブル（管理用のテーブル）が備えられている。このＳＩＰサーバＳＳは、ＩＰ回線Ｌ１を使用した通話を行うための呼接続の要求がＩＰ網／公衆網１００側にある電話端末ＥＰ２０等やゲートウェイ装置ＧＷ１に接続された通信端末ＥＰ１２等から送られてきた場合に同時通話数を上限以内にするよう呼接続の許可に関する制御を行うものである。
【００１９】
次に、図４を参照してＳＩＰサーバＳＳが管理する管理テーブル３２ａの一例について説明する。  
図４は、ＩＰ回線毎の同時通話数を管理するために、ＳＩＰサーバＳＳが管理するＩＰ回線接続しているゲートウェイ装置ＧＷ毎に、少なくともそのＩＰ回線の帯域に応じて同時通話数の上限と現在の同時通話数、通話中の通信端末装置ＥＰの識別情報、および通話中の通信端末装置ＥＰに対応したＩＰアドレスを記憶するものである。
【００２０】
図４の例では、ゲートウェイ装置ＧＷ１の同時通話数の上限は４通話であり、現在の通話数は「２」、その通話中の通信端末装置はＥＰ１１とＥＰ１２、通話中の通信端末装置ＥＰ１１、ＥＰ１２のＩＰアドレスはそれぞれ１９２．ａａａ．ａａａ．００１、１９２．ａａａ．ａａａ．００２、であることを示している。
【００２１】
次に、図５および図６を参照してＳＩＰサーバＳＳにより管理されているＩＰ回線Ｌ１を使用して通信端末装置ＥＰが通話を行う流れを説明する。  
図５では、一実施例として通信端末装置ＥＰ２０から通信端末装置ＥＰ１１へ着信する場合を示す。
【００２２】
まず、通信端末装置ＥＰ２０が通信端末装置ＥＰ１１へ発信するためにＩＰ網／公衆網１００へ呼接続要求を送信する（Ｓ１０１）。ＳＩＰサーバＳＳはこの呼接続要求を受信し、発信先である通信端末装置ＥＰ１１を収容するゲートウェイ装置ＧＷ１とＩＰ／公衆網１００とを接続するＩＰ回線Ｌ１を使用する同時通話数の状況を判断する（Ｓ１０２）。同時通話数が上限未満であれば、ＳＩＰサーバＳＳはゲートウェイ装置ＧＷ１を介して通信端末装置ＥＰ１１へ呼接続要求（着呼）を送信する（Ｓ１０３）。この呼接続要求を受信した通信端末装置ＥＰ１１は、呼接続応答をゲートウェイ装置ＧＷ１を介してＳＩＰサーバＳＳへ送信する（Ｓ１０４）。この呼接続応答をＳＩＰサーバＳＳが受信すると、ＳＩＰサーバＳＳは管理テーブル３２ａにＥＰ１１の情報を記憶して更新する（Ｓ１０５）。その後、通信端末装置ＥＰ１１と通信端末装置ＥＰ２０が呼接続される（Ｓ１０６）。
【００２３】
通話を終了するときは、通信端末装置ＥＰ１１が通信端末装置ＥＰ２０へ呼切断要求を送信し（Ｓ１０７）、この呼切断要求を受信した通信端末装置ＥＰ２０は、呼切断要求応答をＳＩＰサーバＳＳに送信する（Ｓ１０８）。呼切断要求応答をＳＩＰサーバＳＳが受信すると、ＳＩＰサーバＳＳは、管理テーブル３２ａからＥＰ１１の情報を削除して更新する（Ｓ１０９）。
【００２４】
図６では、一実施例として通信端末装置ＥＰ１２から通信端末装置ＥＰ３０へ発信する場合を示す。
【００２５】
まず、通信端末装置ＥＰ１２が通信端末装置ＥＰ３０へ発信するためにＩＰ網／公衆網１００へ呼接続要求を送信する（Ｓ２０１）。ＳＩＰサーバＳＳはこの呼接続要求を受信し、この通信端末装置ＥＰ１２を収容するゲートウェイ装置ＧＷ１とＩＰ／公衆網１００とを接続するＩＰ回線Ｌ１の同時通話数の状況を判断する（Ｓ２０２）。同時通話数が上限未満であれば、ＳＩＰサーバＳＳはゲートウェイ装置ＧＷ１を介して通信端末装置ＥＰ３０へ呼接続要求（発呼）を送信する（Ｓ２０３）。この呼接続要求を受信した通信端末装置ＥＰ３０は、呼接続応答をゲートウェイ装置ＧＷ１を介してＳＩＰサーバＳＳへ送信する（Ｓ２０４）。この呼接続応答をＳＩＰサーバＳＳが受信すると、ＳＩＰサーバＳＳは管理テーブル３２ａにＥＰ１１の情報を記憶して更新する（Ｓ２０５）。その後、通信端末装置ＥＰ１２と通信端末装置ＥＰ３０が呼接続される（Ｓ１０６）。
【００２６】
通話を終了するときは、通信端末装置ＥＰ１２が通信端末装置ＥＰ３０へ呼切断要求を送信し（Ｓ２０７）、この呼切断要求を受信した通信端末装置ＥＰ３０は、呼切断要求応答をＳＩＰサーバＳＳに送信する（Ｓ２０８）。呼切断要求応答をＳＩＰサーバＳＳが受信すると、ＳＩＰサーバＳＳは、管理テーブル３２ａからＥＰ１２の情報を削除して更新する（Ｓ２０９）。
【００２７】
次に、図７および図８を参照してＳＩＰサーバＳＳの処理について説明する。  
図７は、ＳＩＰサーバＳＳが呼接続要求（着呼）を受信してから呼接続を行う際の動作フローチャートを示したものである。
【００２８】
まず、ＳＩＰサーバＳＳがＩＰ網／公衆網１００に送信された呼接続要求を受信する（Ｓ３０１）と、その呼接続要求の発信元の通信端末装置ＥＰおよび発信先の通信端末装置ＥＰがどのゲートウェイ装置ＧＷに収容されているものか判別する（Ｓ３０２）。判別したゲートウェイ装置ＧＷとＩＰ網／公衆網１００とを接続するＩＰ回線Ｌを使用しての同時通話数は上限未満か否かを判別する（Ｓ３０３）。上限以上であれば、呼接続の要求を拒否する（Ｓ３０５）。
【００２９】
ＩＰ回線Ｌを使用しての同時通話数が上限未満であれば、発信先の通信端末装置ＥＰに呼接続要求を送信する（Ｓ３０４）。送信した後、発信先の通信端末装置ＥＰから呼接続応答を受信したか否かを判別する（Ｓ３０６）。呼接続応答を受信しなかった場合は、呼接続を行なわず終了する。呼接続応答を受信した場合は、発信元の通信端末装置ＥＰと発信先の通信端末装置ＥＰとの呼を張り、管理テーブル３２ａに通信端末装置ＥＰの情報を記憶して更新する（Ｓ３０７）。
【００３０】
図７は、ＳＩＰサーバが呼切断通知を受信してから管理テーブルを更新するまでの動作フローチャートを示したものである。
【００３１】
まず、ＳＩＰサーバＳＳがＩＰ網／公衆網１００に送信された呼切断要求を受信する（Ｓ４０１）と、その呼切断要求の発信元の通信端末装置ＥＰおよび発信先の通信端末装置ＥＰがどのゲートウェイ装置ＧＷに収容されているものか判別する（Ｓ４０２）。
【００３２】
ゲートウェイ装置ＧＷを判別すると、呼接続が切断した通信端末装置ＥＰの情報を管理テーブル３２ａから削除し、そのゲートウェイ装置ＧＷの同時通話数を更新する（Ｓ４０３）。
【００３３】
以上のように、ＳＩＰサーバＳＳがゲートウェイ装置ＧＷとＩＰ網／公衆網１００とを接続するＩＰ回線Ｌを使用して同時通話中の数を管理することにより、家庭に敷設されている帯域の狭いＩＰ回線Ｌでの輻輳や通話品質の低下を防ぐことができる。
【００３４】
なお、本発明は、以上の構成に限定されるものではなく、種々の変形が可能である。  
例えば、ゲートウェイ装置ＧＷ１は無線アクセスポイント機能を備えて無線接続と有線接続の両方を接続するように構成してもよい。また、ＳＩＰサーバＳＳはＩＰ網／公衆網１００に接続されているが、ゲートウェイ装置ＧＷ１にＳＩＰサーバＳＳの機能を備えるように構成してもよい。さらに、ＩＰ網／公衆網１００は、企業内で使用されるようなＬＡＮに代えて構成してもよい。
【図面の簡単な説明】
【００３５】
【図１】本発明の一実施の形態に係る電話システムを示した図。
【図２】本発明の一実施の形態に係るゲートウェイ装置の構成を示した図。
【図３】本発明の一実施の形態に係るＳＩＰサーバの構成を示した図。
【図４】本発明の一実施の形態に係るＩＰ回線毎の同時通話数を管理する管理テーブルを示した図。
【図５】本発明の一実施の形態に係る通信端末装置同士がゲートウェイ装置を介して通話する際のシーケンス図。
【図６】本発明の一実施の形態に係る通信端末装置同士がゲートウェイ装置を介して通話する際のシーケンス図。
【図７】本発明の一実施の形態に係る通信端末装置同士がＩＰ回線を使用して通話する際のＳＩＰサーバの動作フローチャート。
【図８】本発明の一実施の形態に係る通信端末装置同士がＩＰ回線を使用して通話した後に呼接続を切断する場合のＳＩＰサーバの動作フローチャート。
【符号の説明】
【００３６】
ＥＰ１１，ＥＰ１２，ＥＰ１３，ＥＰ２０，ＥＰ３０，…，ＥＰｎ…通信端末装置、ＷＡＰ…無線アクセスポイント、ＧＷ１，ＧＷ２，ＧＷ３…ゲートウェイ装置、ＳＳ…ＳＩＰサーバ、１００…ＩＰ網／公衆網、２０，３０…通信インターフェース部、２１…制御部、３１…回線制御部、２２，３２…記憶部、３２ａ…管理テーブル、３３…通話数管理部
【図１】
2009182886.tif 000003
【図２】
2009182886.tif 000004
【図３】
2009182886.tif 000005
【図４】
2009182886.tif 000006
【図５】
2009182886.tif 000007
【図６】
2009182886.tif 000008
【図７】
2009182886.tif 000009
【図８】
2009182886.tif 000010